(57)【要約】【課題】従来の装置においては、天井裏のスペースの小さな家屋には設置が困難であったり、暖房運転時にショートサーキットを起しやすく、冷気が床面付近に溜まりやすいという課題があった。【解決手段】空気調和機本体１０１は、シロッコファン１１３、内熱交換器１１５、ドレンパン１２０を備え、室外１２３の外壁１３０に設置されている。吸込口１０４は空調室１２４の床１２９に近い位置に、吹出口１０５は同じく空調室１２４の天井１２８に近い位置に設置されている。従って、本体の設置スペースを空調室１２４内に必要としないので、施工性、外観に優れると共に、部屋の下部に溜まりやすい冷気を吸い込み、なくしてしまうので、快適な環境を実現することが可能である。【選択図】図１
2005114274.tif 000002
【特許請求の範囲】
【請求項１】
被空調室の天井近くに設けられた吹出口と、前記被空調室の床近くに設けられた吸込口とを有し、前記吹出口と前記吸込口と屋外に設置された本体とをダクトで接続したことを特徴とする空気調和機。
【請求項２】
前記ダクトが、天井裏、壁内部、床下、あるいは間仕切内部の空間を利用することを特徴とした請求項１に記載の空気調和機。
【請求項３】
前記本体に設けた送風機の前あるいは後に開閉可能な換気口を設け、空調運転中に前記換気口を開閉することにより、吸気あるいは排気を行うことを特徴とした請求項１または請求項２に記載の空気調和機。
【請求項４】
前記本体が室外ユニットと接続され、蒸気圧縮式の冷凍ヒートポンプサイクルを構成するものであって、前記本体と前記室外ユニットとを組合わせて一体とし、家屋の壁に設置することを特徴とした請求項１または請求項２に記載の空気調和機。
【請求項５】
冷房運転時に、前記本体で生じた結露水を、前記室外ユニットの熱交換器に散水することを特徴とする請求項4に記載の空気調和機。
【請求項６】
前記ダクトの内部に蓄熱材が配置されたことを特徴とする請求項２に記載の空気調和機。
【請求項７】
蓄熱運転時は、前記蓄熱材に空調した空気を送り、蓄熱利用運転時には前記蓄熱材を通した空気を前記本体に供給することを特徴とする請求項６に記載の空気調和機。
【請求項８】
運転モードに応じて、前記吹出口と前記吸込口を逆転させることを特徴とした請求項１または請求項２または請求項６に記載の空気調和機。
【請求項９】
前記吸込口に集塵フィルタを設けたことを特徴とする請求項１から請求項８のいずれかに記載の空気調和機。
【発明の詳細な説明】
【技術分野】
【０００１】
本発明は、吸込空気あるいは吹出空気を、ダクトを通して搬送するよう構成された、いわゆるダクトタイプの空気調和機に関するものである。
【背景技術】
【０００２】
従来、図３に示すようにダクトタイプの空気調和機は、天井埋め込み形の本体３０１と、本体３０１にダクト３０２，３０３で接続された吸込口３０４と吹出口３０５から構成されるのが一般的である。図３において、本体３０１は部屋の天井面の裏に設置されており、冷媒配管３０８で室外ユニットと接続されている（例えば特許文献１参照）。
【０００３】
そして、室内の空気を矢印３０９のように吸込口３０４から吸い込み、本体３０１で空調した後吹出口３０５から矢印３１０のように吹出す。他に、本体３０１にはドレン配管３１１が接続され、吸い込み空気の埃を取るための集塵フィルタ３０７が装備されている。
【特許文献１】特開平５−１５７２７３号公報
【発明の開示】
【発明が解決しようとする課題】
【０００４】
しかしながら、従来のダクトタイプの空気調和機においては、本体取付けのためのスペースが必要で、天井裏のスペースの小さな家屋には設置が困難であるという課題があった。
【０００５】
また、従来のダクトタイプの空気調和機においては、本体、吸込口、吹出口が全て天井面に設置されるために、暖房運転時にショートサーキットを起しやすく、冷気が床面付近に溜まりやすいという課題があった。
【０００６】
また、従来のダクトタイプの空気調和機において、空調と同時に換気を行う場合、別途換気用のダクトの敷設を必要とするという課題があった。
【０００７】
また、従来のダクトタイプの空気調和機においては、集塵フィルタの取出しが容易ではないという課題があった。
【０００８】
本発明は、上記課題を解決し、設置の自由度が高く、快適で換気のできる空気調和機を提供することを目的とする。
【課題を解決するための手段】
【０００９】
前記従来の課題を解決するため、本発明の空気調和機は、吹出口を天井付近に、吸込口を床付近に配置し、空気調和機本体を屋外の外壁に設置してダクトで接続するものである。これにより、屋内における装置の設置スペースを削減することができ、設置スペースの少ない家屋であっても容易に設置することができる。
【００１０】
また、本発明の空気調和機は、吹出口を天井付近に、吸込口を床付近に配置するものである。これにより、暖房時におけるショートサーキットを防止し、冷気が床付近に溜むのを防止し快適な暖房を行うことができる。
【００１１】
また、本発明の空気調和機は、天井裏、壁内部、床下、あるいは間仕切内部の空間をダクトとして利用するものである。これにより、ダクトの施工を省力化することができる。
【００１２】
また、本発明の空気調和機は、本体の送風機の前あるいは後に開閉可能な換気口を設け、空調運転中に前記換気口を開閉することにより、吸気あるいは排気を行うものである。これにより、換気用の送風機を追加することなく換気をすることができる。
【００１３】
また、本発明の空気調和機は、本体が、室外ユニットと接続され蒸気圧縮式の冷凍ヒートポンプサイクルを構成するものであって、空気調和機本体と室外ユニットとを組合わせて一体とし、家屋の壁に設置するものである。これにより、設置すべきユニットが一つにまとめられ、省施工と同時に外観の向上を実現できる。
【００１４】
また、本発明の空気調和機は、本体で生じた結露水を、室外ユニットの熱交換器に散水するものである。これにより、冷房運転時などにおける放熱を促進し、運転性能の向上を実現できる。
【００１５】
また、本発明の空気調和機は、ダクトの内部に蓄熱材を配置し、運転条件が有利な時間帯に蓄熱運転を行うものである。これにより、電力使用量あるいは電力料金を低減することができる。
【００１６】
また、本発明の空気調和機は、床付近の吸込口に集塵フィルタを設けたものである。これにより、集塵フィルタの掃除を容易に行うことができる。
【発明の効果】
【００１７】
本発明の空気調和機によれば、暖房運転時に冷気が床付近に溜まるのなくし、快適な暖房環境を実現でき、本体の設置スペースを室内に必要としないので、外観に優れ、本体が邪魔になることがない。またダクト配管部材を使用する必要がない上に、断面積が大きく取れて、送風時の圧損を低減することが可能で、省施工、省エネルギーを実現でき、排気を行うこともできる。さらには電気代の削減や省エネルギーを実現することもできる。
【発明を実施するための最良の形態】
【００１８】
以下に、本発明の実施の形態について図面を参照しながら説明する。
【００１９】
（実施の形態１）
本発明の実施の形態１は、図１に示すように、空気調和機本体１０１と室外ユニット１１２と吸込口１０４、吸込ダクト１０２と吹出口１０５、吹出ダクト１０３とで構成される。空気調和機本体１０１は、シロッコファン１１３、内熱交換器１１５、ドレンパン１２０を備え、室外１２３の外壁１３０に設置されている。室外ユニット１１２は、図１には表示されてはいないが、圧縮機や弁部品と、外熱交換器１１８や斜流ファン１１９などから構成されている。そして、空気調和機本体１０１と接続して、蒸気圧縮式の冷凍サイクルあるいはヒートポンプサイクルを構成して空調を行う。
【００２０】
吸込口１０４は空調室１２４の床１２９に近い位置に、吹出口１０５は同じく空調室１２４の天井１２８に近い位置に設置されている。空調室１２４の空気は、まず矢印１０９のように吸込口１０４から吸いこまれ、空気調和された後、吹出口１０５から矢印１１０のように吹出される。冷房運転の場合、上から吹出された冷気は拡散混合しながら降りてくるので、人のいるところを程よい環境にするのは容易である。暖房運転の場合には、通常上から吹出された暖気は下へは到達しにくく、空調室の上部には暖気、人のいる下部には冷気が溜まりやすく、快適にするのは困難である。しかし、本発明の場合、吸込口１０４が床近くに設置されていて、部屋の下部に溜まりやすい冷気を吸い込み、なくしてしまうので、快適な環境を実現することが可能である。
【００２１】
また、ダクト方式であるので、本体の設置スペースを空調室１２４内に必要としないので、外観に優れ、本体が邪魔になることもない。また、吸込ダクト１０２、吹出ダクト１０３はどちらも外壁１３０と内壁１３１の間の空間を利用して構成されていて、ダクト配管部材を使用する必要がない上に、断面積が大きく取れて、送風時の圧損を低減することが可能である。したがって、省施工、省エネルギーが実現できる。
【００２２】
さらに、本発明の実施の形態１では、空気調和機本体１０１のシロッコファン１１３から内熱交換器１１５にいたる途中に換気口１１４が設けてある。通常、換気口１１４を閉じている場合、循環空気流１１６のように空気は循環しており、換気口１１４の位置では正圧となっている。従って、換気口１１４を開くだけで循環空気の一部が排気１１７となって室外１２３へ排出される。
【００２３】
なお、実施の形態１では、排気１１７が得られるよう構成したが、換気口をシロッコファン１１３の吸込み側に設ければ、外気導入が可能である。
【００２４】
さらに、本発明の実施の形態１では、空気調和機本体１０１と室外ユニット１１２が一体となり、外壁１３０に設置されているので、室外側の外観向上と省施工が可能である。
【００２５】
さらに、空気調和機本体１０１のドレンパン１２０からのドレン配管１１１は室外ユニット１１２につながれ、冷房運転時などに発生したドレン水が外熱交換器１１８に散水されるように構成してある。従って、冷房運転時などにおいて、外熱交換器１１８の放熱性能を増し、省エネを図ることができる。
【００２６】
さらに、本発明の実施の形態１では、吸込みダクト１０２に蓄熱材１２１が収納されている。この蓄熱材１２１に、深夜電力や空調負荷が軽いときに蓄熱を行って、昼間時間や負荷の大きなときに利用すれば、電気代の削減や省エネルギーを実現することができる。
【００２７】
そして、空気調和機本体１０１と吸込ダクト１０２および吹出ダクト１０３の接続部において、空気の循環方向を切替え可能な構成が取られている。その構成は図２に示すように、吸込ダクト１０２および吹出ダクト１０３は、空気調和機本体１０１との接続部において、空気調和機本体１０１の吸込み吹出し両方にまたがって接続し、切換可能なシャッター２２５、２２６を設けたものである。まず、通常の空調運転は、吸込口１０４から吸いこんで、吹出口１０５から吹出すわけで、図２の通りにシャッター２２５は吸込み側の流路を塞ぎ、シャッター２２６は吹出し側の流路を塞ぐ。したがって、吸込み側循環空気流１１６ｉは吸込ダクト１０２から流れ込み、吹出し側循環空気流１１６ｏは吹出ダクト１０３に向って出ていく。
【００２８】
そこで、シャッターを矢印２２７のように切替えると吸込み吹出しが反転し、吸込口１０４が吹出しに、吹出口１０５が吸いこみに替る。
【００２９】
蓄熱を行う場合に、通常と同じ空気の流れでは、蓄熱材１２１を通る空気が部屋の空気では、部屋の熱容量や熱ロスを考えると蓄熱完了までにかなりの電気と時間を消費することになる。したがって、蓄熱運転時は空気の流れを反転させ、空調機本体１０１からの吹出し空気を蓄熱材１２１にあて、蓄熱利用時は通常の空調時と同様に蓄熱材１２１を吸込み空気が通るようにすることで、効率よく蓄熱運転および蓄熱利用運転を行うことができる。
【００３０】
また、空調の特殊なケースとして、温風や冷風を直接体に浴びたい場合には、シャッター２２５、２２６を切換ることによって実現が可能である。
【００３１】
また、実施の形態１では、吸込口１０４、吹出口１０５の部分に集塵フィルター１０７Ｌ、１０７Ｈが設けられており、集塵フィルターの掃除や交換が容易に実施できる。
【図面の簡単な説明】
【００３２】
【図１】本発明の空気調和機の概略図
【図２】本発明の空気調和機の部分説明図
【図３】従来の空気調和機の概略図
【符号の説明】
【００３３】
１０１  本体
１０２  吸込ダクト
１０３  吹出ダクト
１０４  吸込口
１０５  吹出口
１０７Ｌ、１０７Ｈ  集塵フィルター
１１２  室外ユニット
１１４  換気口
１１８  外熱交換器
１２１  蓄熱材
１２４  空調室
２２５、２２６  シャッター
【図１】
2005114274.tif 000003
【図２】
2005114274.tif 000004
【図３】
2005114274.tif 000005